(57)【要約】【課題】ブローバイガスからの油分の分離性能を可変設定することのできる内縁機関のブローバイガス還元装置を提供する。【解決手段】エンジンのブローバイガス還元装置は、ブローバイガスからの油分の分離を行い、排出口を介して分離した油分を貯留部に戻す分離機構であるＰＣＶバルブ２０を備える。ＰＣＶバルブ２０は、ブローバイガスを通過させる空間を有するケース２１と、このケース２１内に収容されてケース２１との間に前記ブローバイガスの通路を形成する弁体２２と、この弁体２２を駆動してケース２１と弁体２２との間隔ＰＳを変更するアクチュエータ２３とを備える。【選択図】図２
2010096028.tif 000002
【特許請求の範囲】
【請求項１】
ブローバイガスからの油分の分離を行い、排出口を介して該分離した油分を貯留部に戻す分離機構を備える内燃機関のブローバイガス還元装置において、
前記分離機構は、ブローバイガスを通過させる空間を有するケースと、該ケース内に収容されて前記ケースとの間に前記ブローバイガスの通路を形成する弁体と、該弁体を駆動して前記ケースと前記弁体との間隔を変更するアクチュエータとを備える
ことを特徴とする内燃機関のブローバイガス還元装置。
【請求項２】
請求項１に記載の内燃機関のブローバイガス還元装置において、
前記アクチュエータは、前記油分の分離性能を増大させる旨の要求に基づいて、前記弁体を駆動して、前記間隔を縮小する
ことを特徴とする内燃機関のブローバイガス還元装置。
【請求項３】
請求項１または２に記載の内燃機関のブローバイガス還元装置において、
前記分離機構は、ブローバイガス流量を調整する電子制御式ＰＣＶバルブとしての機能を併せて備えるものであり、前記アクチュエータによる前記弁体の駆動により前記油分の分離性能とブローバイガス流量の調整とが同時になされるものである
ことを特徴とする内燃機関のブローバイガス還元装置。
【請求項４】
請求項３に記載の内燃機関のブローバイガス還元装置において、
前記アクチュエータは、前記油分の分離性能を増大させる旨の要求及び前記ブローバイガス流量を減少させる旨の要求の少なくとも一方に基づいて、前記弁体を駆動して、前記間隔を縮小する
ことを特徴とする内燃機関のブローバイガス還元装置。
【請求項５】
請求項１〜４のいずれか一項に記載の内燃機関のブローバイガス還元装置において、
当該還元装置は、油分の分離性能の調整及びブローバイガス流量の調整を機関運転状態に基づいて前記アクチュエータの制御を行う制御手段をさらに備え、
前記アクチュエータは、油分の分離性能を調整するための指令信号及びブローバイガス流量を調整するための指令信号の双方を前記制御手段から受信するものであり、これら信号の少なくとも一方を受信したときに、受信した指令信号に基づいて前記弁体を駆動するものである
ことを特徴とする内燃機関のブローバイガス還元装置。
【請求項６】
請求項１〜５のいずれか一項に記載の内燃機関のブローバイガス還元装置において、
前記アクチュエータは、内燃機関の吸気通路に設けられて吸気量を調整する吸気量調整弁について、その開度が小さくなるにつれて油分の分離性能を増大させる方向に前記弁体を駆動する
ことを特徴とする内燃機関のブローバイガス還元装置。
【請求項７】
請求項１〜６のいずれか一項に記載の内燃機関のブローバイガス還元装置において、
当該還元装置は、電子制御式ＰＣＶバルブとしての機能を有する機構として前記分離機構のみを備える
ことを特徴とする内燃機関のブローバイガス還元装置。
【請求項８】
請求項１〜７のいずれか一項に記載の内燃機関のブローバイガス還元装置において、
前記弁体には、前記ケースの側壁に向かい延設される回転側壁部が設けられるとともに、前記回転側壁部が前記弁体の周方向において所定の間隙を介して複数配置され、
前記ケースには、前記ブローバイガスの入口及び出口となる流入口及び流出口と、前記弁体に向かい延設される固定側壁部とが設けられて、前記固定側壁部が前記周方向において所定の間隙を介して複数配置され、
前記回転側壁部は、前記周方向に隣り合う前記固定側壁部の間にそれぞれ配置されるとともに、前記アクチュエータは、前記ケースと前記弁体との間隔を変更して、前記弁体を前記ケースに対して回転させて隣り合う前記回転側壁部と前記固定側壁部との間隔を変更する
ことを特徴とする内燃機関のブローバイガス還元装置。
【請求項９】
請求項８に記載の内燃機関のブローバイガス還元装置において、
前記流入口及び前記流出口は、前記周方向において近接して配置されるとともに、前記ケースは、前記流入口と前記流出口との間の部分に前記弁体に向かい延設される隔壁が設けられる
ことを特徴とする内燃機関のブローバイガス還元装置。
【発明の詳細な説明】
【技術分野】
【０００１】
本発明は、ブローバイガスからの油分の分離を行い、排出口を介して該分離した油分を貯留部に戻す分離機構を備える内燃機関のブローバイガス還元装置に関する。
【背景技術】
【０００２】
ブローバイガス還元装置には、ブローバイガスの流量を調整するＰＣＶ（Positive Crankcase Ventilation）バルブの他に、クランクケース内のブローバイガスを吸気通路に供給する過程にてブローバイガスを通過させ、これによりブローバイガスに含有される機関潤滑油の成分（以下、「油分」という。）を分離するセパレータ（分離機構）が設けられている。このセパレータを有するブローバイガス還元装置としては、例えば特許文献１に記載のものが知られている。
【０００３】
図７を参照して、従来のブローバイガス還元装置に設けられたセパレータの構造について説明する。なお、図７中の本体部１１０内の矢印は、ブローバイガスの流れを示している。
【０００４】
図７に示すように、シリンダヘッドカバーに形成されたセパレータ１００は、その本体部１１０にガス流入口１１１，１１２と、ガス流出口１１３と、オイル流出口１１４とが設けられている。また、本体部１１０には、ブローバイガスを案内する案内部材１１５と、ブローバイガスに含有される油分を分離する分離部１１６とが設けられている。分離部１１６は、複数の迂回板１１７，１１８，１１９により構成され、ブローバイガスが本体部１１０内を通過する流路が長くなるように形成されている。
【０００５】
ガス流入口１１１，１１２から本体部１１０に流入したブローバイガスは、案内部材１１５により渦流を生じるとともに、迂回板１１７〜１１９と衝突する。これにより、ブローバイガスに含有された油分は、迂回板１１７〜１１９に付着する。そして、迂回板１１７〜１１９に付着した油分は、オイル流出口１１４により、本体部１１０より外部に排出されるとともに、オイル流出口１１４に接続されたバイパス路によりオイルパンに還元される。また、ブローバイガスは、ガス流出口１１３を介して、インテークマニホールドに供給される。
【特許文献１】特開２００５−２３８２４号公報
【発明の開示】
【発明が解決しようとする課題】
【０００６】
ところで、上記構造のセパレータ１００においては、案内部材１１５と迂回板１１７との間、迂回板１１７と迂回板１１８との間、及び迂回板１１８と迂回板１１９との間によって形成される流路幅は一定である。
【０００７】
したがって、セパレータ１００を通過するブローバイガスの流量が多い場合には、迂回板１１７〜１１９にブローバイガスが多く衝突するため、迂回板１１７〜１１９に油分が多く付着する。その結果、セパレータ１００は、油分を多く分離できる。しかし、セパレータ１００を通過するブローバイガスの量が少ない場合には、迂回板１１７〜１１９にブローバイガスが衝突する量が少ないため、迂回板１１７〜１１９に付着する油分の量が少なくなる。その結果、セパレータ１００が分離できる油分の量が少なくなってしまう。そのため、セパレータ１００を通過するブローバイガスの量が少ない場合には、セパレータ１００は効果的にブローバイガスに含有される油分を分離することができなかった。
【０００８】
言い換えれば、従来のブローバイガス還元装置においては、セパレータの構造に工夫を加えることによりブローバイガスからの油分の分離を促進させるような構造であるが、機関運転状態等に応じて油分の分離性能を積極的に変更することはできなかった。
【０００９】
本発明は、上記実情に鑑みてなされたものであり、その目的は、ブローバイガスからの油分の分離性能を可変設定することのできる内燃機関のブローバイガス還元装置を提供することにある。
【課題を解決するための手段】
【００１０】
以下、上記目的を達成するための手段及びその作用効果について記載する。
（１）請求項１に記載の発明は、ブローバイガスからの油分の分離を行い、排出口を介して該分離した油分を貯留部に戻す分離機構を備える内燃機関のブローバイガス還元装置において、前記分離機構は、ブローバイガスを通過させる空間を有するケースと、該ケース内に収容されて前記ケースとの間に前記ブローバイガスの通路を形成する弁体と、該弁体を駆動して前記ケースと前記弁体との間隔を変更するアクチュエータとを備えることを要旨とする。
【００１１】
この発明によれば、弁体とケースとの間隔を変更したときにブローバイガスの通路面積の大きさが変更されるため、これに伴い弁体とケースとの間を通過するブローバイガスの流速が変化するようになる。即ち、アクチュエータを通じての弁体の駆動により、油分の分離性能を可変設定することができるようになる。
【００１２】
（２）請求項２に記載の発明は、請求項１に記載の内燃機関のブローバイガス還元装置において、前記アクチュエータは、前記油分の分離性能を増大させる旨の要求に基づいて、前記弁体を駆動して、前記間隔を縮小することを要旨とする。
【００１３】
この発明によれば、ブローバイガスの通路面積を小さくした場合には、ブローバイガスの流速が高められることにより、ブローバイガスが壁面に衝突した際に、より多くの油分が分離されるようになる。上記発明では、油分の分離性能を増大させる旨の要求に基づいて、ケースと弁体との間隔を縮小し、これによりブローバイガスの通路面積を小さくしているため、油分の分離性能を増大させている。
【００１４】
（３）請求項３に記載の発明は、請求項１または２に記載の内燃機関のブローバイガス還元装置において、前記分離機構は、ブローバイガス流量を調整する電子制御式ＰＣＶバルブとしての機能を併せて備えるものであり、前記アクチュエータによる前記弁体の駆動により前記油分の分離性能とブローバイガス流量の調整とが同時になされるものであることを要旨とする。
【００１５】
近年では、ブローバイガス流量を調整するバルブとして、機械式のバルブに代えて電子制御式ＰＣＶバルブを備えることが提案されている。この場合には、電子制御式ＰＣＶバルブのために新たにアクチュエータを備えることが必要になるとはいえ、ブローバイガス流量のより緻密な管理を可能にする点において、その実用性は十分にあると考えられる。一方、油分の分離性能の可変設定をアクチュエータにより行うものにおいてさらに電子制御式ＰＣＶバルブを備える場合には、併せて２つのアクチュエータが必要となるため、例えば電力消費量の過度の増大が懸念される。この点、上記発明では、単一のアクチュエータにより油分の分離性能の調整及びブローバイガス流量の調整が同時になされているようにしているため、油分の分離性能を可変設定する機能及び電子制御式ＰＣＶバルブとしての機能を備えつつも電力消費量の過度の増大を抑制することができる。
【００１６】
（４）請求項４に記載の発明は、請求項３に記載の内燃機関のブローバイガス還元装置において、前記アクチュエータは、前記油分の分離性能を増大させる旨の要求及び前記ブローバイガス流量を減少させる旨の要求の少なくとも一方に基づいて、前記弁体を駆動して、前記間隔を縮小することを要旨とする。
【００１７】
ブローバイガスの通路面積を小さくした場合には、ブローバイガスの流速が高められることにより、ブローバイガスが壁面に衝突した際により多くの油分が分離されるようになる。また、ブローバイガスの通路面積を小さくした場合には、ブローバイガス流量が減少する。上記発明では、油分の分離性能を増大させる旨の要求及びブローバイガス流量を減少させる旨の要求の少なくとも一方に基づいて、ケースと弁体との間隔を縮小し、これによりブローバイガスの通路面積を小さくしているため、ブローバイガス流量を減少させるとともに、油分の分離性能を増大させている。
【００１８】
（５）請求項５に記載の発明は、請求項１〜４のいずれか一項に記載の内燃機関のブローバイガス還元装置において、当該還元装置は、油分の分離性能の調整及びブローバイガス流量の調整を機関運転状態に基づいて前記アクチュエータの制御を行う制御手段をさらに備え、前記アクチュエータは、油分の分離性能を調整するための指令信号及びブローバイガス流量を調整するための指令信号の双方を前記制御手段から受信するものであり、これら信号の少なくとも一方を受信したときに、受信した指令信号に基づいて前記弁体を駆動するものであることを要旨とする。
【００１９】
この発明によれば、アクチュエータが、制御手段からの油分の分離性能を調整するための指令信号及びブローバイガス流量を調整するための指令信号の双方を受信可能としていることにより、アクチュエータがこれら指令信号の一方のみを受信可能とした場合と比較して、内燃機関の機関運転の多くの変化状況に応じて弁体とケースとの間隔の調整を行うことができる。
【００２０】
（６）請求項６に記載の発明は、請求項１〜５のいずれか一項に記載の内燃機関のブローバイガス還元装置において、前記アクチュエータは、内燃機関の吸気通路に設けられて吸気量を調整する吸気量調整弁について、その開度が小さくなるにつれて油分の分離性能を増大させる方向に前記弁体を駆動することを要旨とする。
【００２１】
内燃機関では、吸気量調整弁の開度が小さくなるにつれて、燃焼室に供給される空気量が少なくなるため、ブローバイガス流量が減少する。このブローバイガス流量が減少するため、油分の分離量は低下してしまう。しかし、この発明によれば、吸気量調整弁の開度が小さくなるにつれて、即ち油分の分離量が低下するにつれて、油分の分離性能を増大させる方向に弁体を駆動させることにより、油分の分離量の低下を抑制することができる。
【００２２】
（７）請求項７に記載の発明は、請求項１〜６のいずれか一項に記載の内燃機関のブローバイガス還元装置において、当該還元装置は、電子制御式ＰＣＶバルブとしての機能を有する機構として前記分離機構のみを備えることを要旨とする。
【００２３】
この発明によれば、ブローバイガス還元装置が電子制御式ＰＣＶバルブとしての機能を有する機構として分離機構のみを備えることにより、他に電子制御式ＰＣＶバルブ及び分離機構を備える必要がなくなる。したがって、ブローバイガス還元装置の構造の簡略化を図ることができる。
【００２４】
（８）請求項８に記載の発明は、請求項１〜７のいずれか一項に記載の内燃機関のブローバイガス還元装置において、前記弁体には、前記ケースの側壁に向かい延設される回転側壁部が設けられるとともに、前記回転側壁部が前記弁体の周方向において所定の間隙を介して複数配置され、前記ケースには、前記ブローバイガスの入口及び出口となる流入口及び流出口と、前記弁体に向かい延設される固定側壁部とが設けられて、前記固定側壁部が前記周方向において所定の間隙を介して複数配置され、前記回転側壁部は、前記周方向に隣り合う前記固定側壁部の間にそれぞれ配置されるとともに、前記アクチュエータは、前記ケースと前記弁体との間隔を変更して、前記弁体を前記ケースに対して回転させて隣り合う前記回転側壁部と前記固定側壁部との間隔を変更することを要旨とする。
【００２５】
この発明によれば、弁体を回転させる一動作によって、複数の固定側壁部と複数の回転側壁部とにより形成される複数の間隔を同時に可変設定することができる。したがって、ブローバイガス流量の調整及び油分の分離性能の調整を容易に行うことができる。
【００２６】
（９）請求項９に記載の発明は、請求項８に記載の内燃機関のブローバイガス還元装置において、前記流入口及び前記流出口は、前記周方向において近接して配置されるとともに、前記ケースは、前記流入口と前記流出口との間の部分に前記弁体に向かい延設される隔壁が設けられることを要旨とする。
【００２７】
この発明によれば、流入口を介してケース内に流入したブローバイガスがこれに隣り合う流出口に即座に流れ込むことは隔壁により妨げられる。即ち、ケース内に流入したブローバイガスは弁体のまわりを略一周した後に流出口に流れ込む。したがって、ブローバイガスと回転側壁部及び固定側壁部との衝突回数を増大させることが可能となり、油分の分離性能を向上させることができる。
【発明を実施するための最良の形態】
【００２８】
図１〜図４を参照して、本発明の内燃機関のブローバイガス還元装置を車載内燃機関のブローバイガス還元装置として具体化した実施形態について説明する。
まず、図１を参照して、エンジン１の構成について説明する。
【００２９】
図１に示すように、エンジン１においては、各気筒の燃焼室２に吸気通路３及び排気通路４が接続されている。そして、吸気通路３に設けられたスロットルバルブ１１を介して燃焼室２に空気が吸入されるとともに、燃料噴射弁５から吸気通路３内に燃料が噴射供給されることにより、燃焼室２内に空気及び燃料の混合気が供給される。この混合気が各気筒の点火プラグ６による点火に基づき燃焼すると、そのときの燃焼エネルギによってピストン７が往復運動し、エンジン１の出力軸であるクランクシャフト８が回転する。また、燃焼後の混合気は排気として排気通路４に送り出され、その排気は排気通路４に設けられた触媒４ａによって浄化される。
【００３０】
エンジン１においては、圧縮行程や膨張行程で燃焼室２に存在するガスの一部がブローバイガスとしてピストンリング７ａとシリンダ内壁９との間からクランクケース１０内に漏れる。このため、エンジン１には、燃焼室２からクランクケース１０内に漏れたブローバイガスを吸気通路３に戻して処理するブローバイガス還元装置ＢＲが設けられている。
【００３１】
ブローバイガス還元装置ＢＲは、吸気通路３におけるスロットルバルブ１１の上流側の部分に接続されてクランクケース１０内に新気を導入する新気導入通路１２と、クランクケース１０内のブローバイガスを吸気通路３に戻すべく吸気通路３におけるスロットルバルブ１１の下流側の部分に接続されたガス流出通路１３とを備えている。また、ガス流出通路１３にはブローバイガスを吸気通路３に戻す際のブローバイガス流量を調整するＰＣＶバルブ２０が設けられている。このＰＣＶバルブ２０は、アクチュエータ２３（図２参照）により開度調整される電子制御式のものであって、その開度を大きく調整するほどガス流出通路１３から吸気通路３に流れるガスの流量を多くするものである。そして、ブローバイガス還元装置ＢＲにおいては、新気導入通路１２からクランクケース１０内への新気導入により、燃焼室２からクランクケース１０内に漏れたブローバイガスがガス流出通路１３を介して吸気通路３に戻されるようになる。
【００３２】
次に、上記ブローバイガス還元装置ＢＲの電気的構成について説明する。
エンジン１は、センサの出力等に基づいて、各種制御を実行する電子制御装置１４を備えている。この電子制御装置１４は、上記制御に係る各種演算処理を実行するＣＰＵ、その制御に必要なプログラムやデータの記録されたＲＯＭ、ＣＰＵの演算結果等が一時記憶されるＲＡＭ、外部との間で信号を入・出力するための入・出力ポート等を備えて構成されている。
【００３３】
電子制御装置１４の入力ポートには、以下に示す各種センサ等が接続されている。即ち、電子制御装置１４の入力ポートには、自動車の運転者によって踏込操作されるアクセルペダル１５の踏み込み量（アクセル踏み込み量）を検出するアクセルポジションセンサ１６、及びエンジン１の吸気通路３に設けられたスロットルバルブ１１の開度を検出するスロットルポジションセンサ１７、及び吸気通路３を通過して燃焼室２に吸入される空気の量を検出するエアフロメータ１８、及びクランクシャフト８の回転に対応した信号を出力するクランクポジションセンサ１９が接続されている。また、電子制御装置１４の出力ポートには、燃料噴射弁５、点火プラグ６、スロットルバルブ１１、及びＰＣＶバルブ２０といった各種機器の駆動回路が接続されている。
【００３４】
次に、図２を参照して、ＰＣＶバルブ２０の構成について説明する。なお、図２（ａ）中の矢印は、ブローバイガスの流れを示している。以降では、弁体２２の回転軸Ｊに沿った方向を「軸方向」とし、弁体２２の回転径方向を「径方向」とし、弁体２２の回転周方向を「周方向」とする。
【００３５】
図２に示すように、ＰＣＶバルブ２０は、ブローバイガスを通過させる空間を有する本体であるケース２１と、このケース２１内に収容されて、ケース２１との間にブローバイガスの通路を形成する弁体２２と、弁体２２を回転駆動させるアクチュエータ２３とを備えている。そして、アクチュエータ２３によって、ケース２１に対して弁体２２が回転軸Ｊを中心に回転することにより、ブローバイガスの通路である、ケース２１と弁体２２との間隔ＰＳを変更することができる。そして、ケース２１と弁体２２との間隔ＰＳが変更されることにより、ブローバイガスが含有する油分がブローバイガスから分離する分離性能（以下、単に「油分の分離性能」という。）が調整される。また、本実施形態では、アクチュエータ２３として、ステッピングモータを用いている。
【００３６】
また、このＰＣＶバルブ２０は、ＰＣＶバルブ２０内を通過するブローバイガス流量の調整と油分の分離性能の調整とを同時に行うことができる。即ち、間隔ＰＳの大きさを変更することにより、ブローバイガスの通路面積（即ち、固定側壁部２１６と回転側壁部２２２との周方向の間隔ＰＳを構成する空間において、軸方向に沿った平面にて形成された面積）が変更されることになり、ブローバイガス流量が調整されるとともに、固定側壁部２１６と回転側壁部２２２との間を通過するブローバイガスの流速が変化することにより、油分の分離性能が調整される。
【００３７】
ケース２１には、円筒形状の側壁２１４と、ブローバイガスがケース２１の外部からケース２１内に流入可能とする流入口２１１と、ケース２１内からケース２１の外部へブローバイガスが流出可能とする流出口２１２と、ブローバイガスから分離した油分をケース２１の外部へ排出する排出口２１３とが設けられている。流入口２１１、流出口２１２、及び排出口２１３は、それぞれ側壁２１４に設けられている。また、排出口２１３は、ＰＣＶバルブ２０における鉛直方向下側となるように設けられている。
【００３８】
流入口２１１と流出口２１２とは、周方向において互いに近接するように配置されている。そして、側壁２１４において、流入口２１１と流出口２１２との間の箇所には、ブローバイガスが流入口２１１から方向Ｘに向けて流通して流出口２１２へ流れ込むことを抑制する板状の隔壁２１５、即ち、流入口２１１を介してケース２１内に流入したブローバイガスが、流入口２１１に隣り合う流出口２１２に即座に流れ込むことを妨げる隔壁２１５が設けられている。この隔壁２１５は、側壁２１４から弁体２２に向かい径方向に沿って延設されている。
【００３９】
また、側壁２１４には、弁体２２に向かい延設される固定側壁部２１６が設けられている。固定側壁部２１６は、弁体２２に向かう板状に形成されているとともに、周方向に一定の間隔をもって複数形成されている。
【００４０】
弁体２２は、アクチュエータ２３の出力軸２３１に接続されるとともに、この出力軸２３１とともに回転する基部２２１と、この基部２２１から側壁２１４に向かい延設される回転側壁部２２２とにより構成されている。回転側壁部２２２は、径方向に沿った板状に形成されるとともに、周方向に一定の間隔をもって複数形成されている。
【００４１】
ケース２１の隔壁２１５の内縁は、弁体２２の基部２２１の外周面、即ち、基部２２１の径方向外側の面との間に、径方向に微小間隙を形成している。即ち、ＰＣＶバルブ２０には、隔壁２１５の内縁と弁体２２の外周面との径方向の間である微小間隙により、ブローバイガスが流入口２１１から隔壁２１５を介して流出口２１２に流れるのを抑制するラビリンスシールであるシール２４が形成されている。
【００４２】
固定側壁部２１６及び回転側壁部２２２は、周方向において、互いに交互に配置されている。そして、回転側壁部２２２の径方向の外縁は、固定側壁部２１６の径方向の内縁より、径方向の外側となるように形成されている。これにより、固定側壁部２１６と回転側壁部２２２との周方向の間に、ブローバイガス通路２５を形成している。このブローバイガスの通路の大きさは、間隔ＰＳを変更することにより変更される。
【００４３】
ここで、ブローバイガスは、流入口２１１から周方向において、方向Ｘとは反対方向である方向Ｙに向かい、ブローバイガス通路２５を通過し、流出口２１２に流出する。そして、この間隔ＰＳにおいて、ブローバイガスが固定側壁部２１６及び回転側壁部２２２に衝突したとき、ブローバイガスに含有される油分がブローバイガスから分離される。この分離された油分は、排出口２１３を介して、クランクケース１０（図１参照）内の貯留部であるオイルパンに還元される。
【００４４】
次に、図３を参照して、機関負荷の大きさと燃焼室２からクランクケース１０内に漏れるブローバイガス流量との関係について説明する。
図３は、機関負荷の大きさと燃焼室２からクランクケース１０内に漏れるブローバイガス流量との関係を示すグラフである。図３に示すように、機関低負荷時（即ち、図３の（ａ）の状態）では、燃焼室２からクランクケース１０内に漏れるブローバイガス流量は比較的少量となる。また、機関中負荷時（即ち、図３の（ｂ）の状態）では、機関低負荷時よりも燃焼室２からクランクケース１０内に漏れるブローバイガス流量は増大する。そして、機関負荷が増大するにつれて、燃焼室２からクランクケース１０内に漏れるブローバイガス流量は増大する。また機関高負荷時（即ち、図３の（ｃ）の状態）では、燃焼室２からクランクケース１０内に漏れるブローバイガス流量は機関中負荷時よりも多くなる。
【００４５】
次に、図４及び図５を参照して、ＰＣＶバルブ２０を通過する気体の流量とＰＣＶバルブ２０の駆動状態との関係について説明する。
まず、図４を参照して、スロットルバルブ１１の開度とＰＣＶバルブ２０の間隔ＰＳとの関係について説明する。
【００４６】
図４は、スロットルバルブ１１の開度とＰＣＶバルブ２０の弁体２２とケース２１とにより形成される間隔ＰＳとの関係を示すグラフである。図４に示すように、ＰＣＶバルブ２０のアクチュエータ２３は、スロットルバルブ１１の開度に比例して間隔ＰＳが変化するように弁体２２を駆動して調整する。即ち、スロットルバルブ１１の開度が大きくなるにつれて、間隔ＰＳが大きくなるように弁体２２を駆動する。これにより、スロットルバルブ１１の開度が大きくなるにつれて、ＰＣＶバルブ２０内を通過するブローバイガス、及び新気の混合気の流量（以下、「ＰＣＶ流量」）が増大する。
【００４７】
具体的には、スロットルポジションセンサ１７によって検出されたスロットルバルブ１１の開度のデータは、電子制御装置１４に送信される。そして、電子制御装置１４は、この開度のデータに基づいて、間隔ＰＳを調整する旨の要求としての指令信号をアクチュエータ２３に送信する。
【００４８】
より具体的には、電子制御装置１４は、スロットルバルブ１１の開度が大きくなるにつれて、間隔ＰＳを大きく形成するようにアクチュエータ２３に指令信号を送信する。そして、指令信号を受信したアクチュエータ２３は、指令信号に基づいて、弁体２２を駆動させて、間隔ＰＳを大きく形成する。また、逆に、電子制御装置１４は、スロットルバルブ１１の開度が小さくなるにつれて、間隔ＰＳを小さく形成するようにアクチュエータ２３に指令信号を送信する。そして、指令信号を受信したアクチュエータ２３は、指令信号に基づいて、弁体２２を駆動させて、間隔ＰＳを小さく形成する。
【００４９】
次に、図４及び図５を参照して、機関負荷とＰＣＶバルブ２０の間隔ＰＳとの関係について説明する。
機関低負荷時においては、スロットルバルブ１１の開度が比較的小さくなるため、電子制御装置１４は、図４に示すグラフに基づいて、ＰＣＶバルブ２０の間隔ＰＳが小さくなるように弁体２２を駆動する。これにより、ＰＣＶバルブ２０は、例えば、図５（ａ）に示す状態に維持される。
【００５０】
ここで、機関低負荷時では、燃焼室２からクランクケース１０内に漏れるブローバイガス流量が少ないため、ＰＣＶバルブ２０内を通過するブローバイガス流量も少なくなる。したがって、ＰＣＶバルブ２０において、ブローバイガスが固定側壁部２１６及び回転側壁部２２２に衝突することにより分離される油分の分離量も少なくなる。
【００５１】
また、機関低負荷時では、燃焼室２からクランクケース１０に漏れるブローバイガス流量が少ないため、ＰＣＶ流量を減量してもクランクケース１０内を適度に換気することはできる。
【００５２】
そこで、電子制御装置１４は、ＰＣＶバルブ２０の間隔ＰＳを小さくすることにより、即ち、ブローバイガスの通路面積を小さくすることにより、ブローバイガスの通路を通過するブローバイガスの流速を増大させる。これにより、ブローバイガスが固定側壁部２１６及び回転側壁部２２２に衝突することによるブローバイガスからの油分の分離を促進することができる。その結果、機関低負荷時において、単位時間あたりにブローバイガスから分離する油分の分離量を増大させることができる。
【００５３】
機関中負荷時においては、機関負荷の増大に伴いスロットルバルブ１１の開度が大きくなるため、電子制御装置１４は、図４に示すグラフに基づいて、ＰＣＶバルブ２０の間隔ＰＳが機関低負荷時よりも大きくなるように弁体２２を駆動する。これにより、ＰＣＶバルブ２０は、例えば、図５（ｂ）に示す状態に維持される。
【００５４】
ここで、機関中負荷時においては、燃焼室２からクランクケース１０内に漏れるブローバイガス流量が機関低負荷時よりも多くなることに伴い、ＰＣＶバルブ２０内を通過するブローバイガス流量も多くなる。したがって、クランクケース１０内の換気性を向上させるために、ＰＣＶ流量を増大させる必要がある。
【００５５】
そこで、電子制御装置１４は、ＰＣＶバルブ２０の間隔ＰＳを機関低負荷時の間隔ＰＳの大きさよりも大きくすることにより、ＰＣＶ流量を増大させる。このとき、間隔ＰＳが大きくなることにより、油分の分離性能、即ち、ブローバイガス通路２５を通過するブローバイガスの流速の増大の度合が機関低負荷時よりも低下するものの、ＰＣＶ流量の増大に伴いブローバイガス流量が増大するため、ブローバイガスから分離する油分の分離量が機関低負荷時の油分の分離量に対して急激に減少することは抑制される。ここで、「ブローバイガス通路２５を通過するブローバイガスの流速の増大の度合」とは、ブローバイガス通路２５のうち、間隔ＰＳにて構成されるブローバイガスの通路面積におけるブローバイガスの流速の値からそれ以外のブローバイガス通路２５のブローバイガスの流速の値を減じたブローバイガスの流速の変化量をいう。
【００５６】
機関高負荷時においては、スロットルバルブ１１の開度が機関中負荷時より大きくなるため、電子制御装置１４は、図４に示すグラフに基づいて、ＰＣＶバルブ２０の間隔ＰＳが機関中負荷時よりも大きくなるように弁体２２を駆動する。これにより、ＰＣＶバルブ２０は、例えば、図５（ｃ）に示す状態に維持される。
【００５７】
ここで、機関高負荷時においては、燃焼室２からクランクケース１０内に漏れるブローバイガス流量が機関中負荷時よりも多くなることに伴い、ＰＣＶバルブ２０内を通過するブローバイガス流量も多くなる。これに伴い、クランクケース１０内の換気性をさらに向上させるために、機関中負荷時のＰＣＶ流量よりもＰＣＶ流量を増大させる必要がある。
【００５８】
そこで、電子制御装置１４は、ＰＣＶバルブ２０の間隔ＰＳを機関中負荷時の間隔ＰＳの大きさよりも大きくすることにより、さらにＰＣＶ流量を増大させる。このとき、間隔ＰＳが大きくなることにより、油分の分離性能、即ち、ブローバイガス通路２５を通過するブローバイガスの流速の増大の度合が機関中負荷時よりも低下するものの、ＰＣＶ流量の増大に伴いブローバイガス流量が増大するため、ブローバイガスから分離する油分の分離量が機関中負荷時の油分の分離量に対して急激に減少することは抑制される。
【００５９】
ちなみに、図５（ｃ）に示すＰＣＶバルブ２０の状態は、スロットルバルブ１１の開度が最大のときのものであり、回転側壁部２２２が隣り合う固定側壁部２１６の周方向の中間位置に位置する。これにより、ブローバイガス通路２５を通過するＰＣＶ流量は、間隔ＰＳの調整により変更される範囲内において、最大となり、ブローバイガス通路２５を通過するブローバイガス流量も同様に最大となる。
【００６０】
以上のように、電子制御装置１４はスロットルバルブ１１の開度に基づいて、機関負荷に応じて要求されるブローバイガスからの油分の分離性能及びクランクケース１０内の換気性、即ち、ブローバイガス通路２５を通過するブローバイガスの流速及び吸気通路３に供給するブローバイガスの流量を把握し、これに応じるべく間隔ＰＳの変更を行う。
【００６１】
次に、図６を参照して、電子制御装置１４がＰＣＶバルブ２０の間隔ＰＳの大きさを調整する「ＰＣＶバルブの制御処理」について説明する。
まず、ステップＳ１０において、スロットルバルブ１１の開度からＰＣＶバルブ２０の間隔ＰＳの目標値を算出する。具体的には、スロットルポジションセンサ１７の信号を電子制御装置１４が受信することにより、電子制御装置１４は、スロットルバルブ１１の開度のデータを得ることができる。そして、電子制御装置１４は、図４に示されるグラフに基づいて、スロットルバルブ１１の開度のデータに対応したＰＣＶバルブ２０の間隔ＰＳの目標値（以下、「間隔目標値」という。）が決定される。
【００６２】
次に、ステップＳ１１において、実際のＰＣＶバルブ２０の間隔ＰＳの大きさ（以下、「間隔実際値」という。）が間隔目標値と一致するか否かを判断する。具体的には、間隔実際値は、アクチュエータ２３であるステッピングモータの回転量（もしくは、ステッピングモータの回転体のステップ数）に基づいて算出される。そして、電子制御装置１４は、算出された間隔実際値と間隔目標値とを比較する。
【００６３】
ここで、間隔実際値が、間隔目標値と一致する場合（ステップＳ１１のＹＥＳ）、電子制御装置１４は、間隔実際値が好適な間隔ＰＳの大きさであると判断する。そして、ステップＳ１２において、電子制御装置１４は、アクチュエータ２３にＰＣＶバルブ２０の間隔ＰＳを現状に維持する指令信号を送信する。
【００６４】
一方、間隔実際値が間隔目標値と一致しない場合（ステップＳ１１のＮＯ）、電子制御装置１４は、間隔実際値が好適な間隔ＰＳの大きさではないと判断する。そして、ステップＳ１３において、間隔実際値が間隔目標値より大きいか否かを判断する。
【００６５】
ここで、間隔実際値が間隔目標値より大きい場合（ステップＳ１３のＹＥＳ）、電子制御装置１４は、機関負荷に対して、間隔実際値が大きすぎると判断する。即ち、油分の分離性能を増大させるとともに、ブローバイガス流量を減少させる必要があると判断する。そして、ステップＳ１４において、分離性能の増大要求及びブローバイガスの減少要求を示す信号をアクチュエータ２３に送信し、アクチュエータ２３は、この信号に基づいて、ＰＣＶバルブ２０の間隔ＰＳの大きさを小さくするように弁体２２を駆動する。即ち、電子制御装置１４は、アクチュエータ２３に間隔ＰＳを小さくするように指令信号を送信し、この指令信号を受信したアクチュエータ２３がＰＣＶバルブ２０の弁体２２を駆動して、間隔ＰＳを小さくする。
【００６６】
一方、間隔実際値が間隔目標値より小さい場合（ステップＳ１３のＮＯ）、電子制御装置１４は、機関負荷に対して、間隔実際値が小さすぎると判断する。即ち、油分の分離性能を低減させるとともに、ブローバイガス流量を増大させる必要があると判断する。そして、ステップＳ１５において、分離性能の低減要求及びブローバイガス流量の増大要求を示す信号をアクチュエータ２３に送信し、アクチュエータ２３は、ＰＣＶバルブ２０の間隔ＰＳの大きさを大きくするように弁体２２を駆動する。即ち、電子制御装置１４は、アクチュエータ２３に間隔ＰＳを大きくするように指令信号を送信し、この指令信号を受信したアクチュエータ２３によりＰＣＶバルブ２０の弁体２２を駆動させて、間隔ＰＳを大きくする。以上の処理により、電子制御装置１４は、ＰＣＶバルブ２０の間隔ＰＳの大きさをスロットルバルブ１１の開度に応じて変更する。
【００６７】
［実施形態の効果］
本実施形態のブローバイガス還元装置によれば、以下の効果を奏することができる。
（１）本実施形態では、ＰＣＶバルブ２０の弁体２２とケース２１との間隔である固定側壁部２１６と回転側壁部２２２との周方向の間隔ＰＳを変更したときにブローバイガスの通路面積の大きさが変更されるため、これに伴い弁体２２とケース２１との間を通過するブローバイガスの流速が変化するようになる。即ち、アクチュエータ２３を通じての弁体２２の駆動により、油分の分離性能を可変設定することができるようになる。
【００６８】
（２）本実施形態では、ＰＣＶバルブ２０の間隔ＰＳを変更することにより、ＰＣＶバルブ２０内を通過するブローバイガス流量の調整と油分の分離性能の調整とを同時に行うことが可能となる。即ち、ＰＣＶバルブ２０の間隔ＰＳを変更することにより、ＰＣＶバルブ２０内を通過するブローバイガス流量と油分の分離性能とのバランスをとることができる。例えば、ＰＣＶバルブ２０内を通過するブローバイガス流量が減少したときに、油分の分離性能も減少するが、間隔ＰＳを縮小することにより、油分の分離性能の低下を抑制することができる。また、例えば、ＰＣＶバルブ２０内を通過するブローバイガス流量が増大したときに、油分の分離性能も増大するが、間隔ＰＳが狭い場合、ＰＣＶバルブ２０を通過するブローバイガス流量の増大を阻害してしまう。そこで、間隔ＰＳを拡大することにより、油分の分離性能は低下するが、ＰＣＶバルブ２０を通過するブローバイガス流量を増大させることができる。
【００６９】
（３）本実施形態では、間隔ＰＳは、ブローバイガスの通路を構成するため、間隔ＰＳを縮小することにより、ブローバイガスの通路が縮小する。したがって、この間隔ＰＳを通過するブローバイガス流量を減少させることができる。その結果、ＰＣＶバルブ２０内を通過するブローバイガス流量を減少させる旨の要求がアクチュエータ２３になされた場合、アクチュエータ２３は、弁体２２を駆動させて間隔ＰＳを縮小させることにより、その要求を達成することができる。
【００７０】
（４）スロットルバルブ１１の開度は、機関負荷に基づいて制御される。そして、この機関負荷に基づいて、クランクケース１０内に漏れるブローバイガス流量は増減する。即ち、機関負荷が小さくなるにつれて、クランクケース１０内に漏れるブローバイガス流量は減少する。したがって、ＰＣＶバルブ２０内を通過するブローバイガス流量が減少する。そして、ＰＣＶバルブ２０内を通過するブローバイガス流量の減少に伴い、このブローバイガスが固定側壁部２１６及び回転側壁部２２２に衝突する回数が減少するため、油分の分解量が低下する。そこで、本実施形態では、スロットルバルブ１１の開度が小さくなるにつれて、アクチュエータ２３は弁体２２を油分の分離性能が増大する方向に駆動させるため、機関負荷が小さくなるにつれて、即ち、ＰＣＶバルブ２０内を通過するブローバイガス流量が減少するにつれて、弁体２２を油分の分離性能を増大させる方向に駆動させるため、油分の分離量の低下を抑制することができる。
【００７１】
（５）本実施形態では、ブローバイガス還元装置ＢＲがＰＣＶバルブ２０を通過するブローバイガス流量の調整及び油分の分離性能の調整を行うＰＣＶバルブ２０のみを備えることにより、他にブローバイガス還元装置ＢＲを通過するブローバイガス流量の調整を行う電子制御式ＰＣＶバルブ、及び油分の分離性能を調整する分離機構を備える必要がなくなるため、ブローバイガス還元装置の構造の簡単化を図ることができる。
【００７２】
（６）本実施形態では、ＰＣＶバルブ２０のケース２１に隔壁２１５が設けられるため、流入口２１１から流入したブローバイガスは、ケース２１の周方向の方向Ｙに向かい流れて、弁体２２のまわりを略一周して流出口２１２から流出する。即ち、流入口２１１からケース２１の周方向の方向Ｘに向かい流れて、流出口２１２から流出する場合と比較して、ケース２１内をブローバイガスが通過する通路の長さを長くすることができる。したがって、流入口２１１からケース２１の周方向の方向Ｘに向かい流れて、流出口２１２から流出する場合と比較して、ケース２１内をブローバイガスが通過する際に、固定側壁部２１６と回転側壁部２２２とに衝突する回数を多くすることができる。その結果、油分の分離性能を向上させることができる。
【００７３】
（７）本実施形態では、流入口２１１と流出口２１２とは周方向に近接するため、ケース２１内のブローバイガスが通過する通路の長さを長くすることができる。したがって、ケース２１内に、固定側壁部２１６と回転側壁部２２２とを多く設けることができるため、固定側壁部２１６と回転側壁部２２２とに衝突する回数を多くすることができる。その結果、油分の分離性能を向上させることができる。
【００７４】
（８）本実施形態では、ＰＣＶバルブ２０のケース２１に設けられた排出口２１３が、ケース２１において、鉛直方向下側に設けられる。したがって、固定側壁部２１６と回転側壁部２２２とに衝突することによって、分解されたブローバイガスの油分は、重力の作用によって、排出口２１３に流れることができる。これにより、油分を排出口２１３に流すための機構を必要としないため、ケース２１を簡略な構成にて形成することができる。その結果、ＰＣＶバルブ２０のコストダウン、及びブローバイガス還元装置ＢＲのコストダウンを達成することができる。
【００７５】
特に、ＰＣＶバルブ２０がクランクケース１０よりも鉛直方向上側に設けられるため、重力の作用により、排出口２１３からバイパス路を介して、クランクケース１０に油分を流すことができる。したがって、バイパス路に油分をクランクケース１０に流すための機構を必要としないため、バイパス路を簡略化した構成にて形成することができる。その結果、バイパス路のコストダウン、及びブローバイガス還元装置ＢＲのコストダウンを達成することができる。
【００７６】
（その他の実施形態）
なお、上記実施形態は、例えば以下に示すように変更して実施することもできる。
・本実施形態のブローバイガス還元装置ＢＲでは、ＰＣＶバルブ２０のケース２１に設けられた隔壁２１５と弁体２２の基部２２１との間に微小間隙を形成することにより、ラビリンスシールとなるシール２４が設けられたが、このシール２４は微小間隙によるラビリンスシールに限定されることはない。例えば、ラビリンスシールに換えて、シール２４にオイルシール、もしくはメカニカルシール等の他のシールを設けてもよい。
【００７７】
・本実施形態のブローバイガス還元装置ＢＲでは、ＰＣＶバルブ２０を円筒形状のケース２１に弁体２２を収容する構造としていたが、ＰＣＶバルブ２０の構成及び形状は、これに限定されることはない。例えば、図７に示す従来のセパレータ１００の迂回板１１７，１１８，１１９を可動することにより、ブローバイガスの通路を変更可能としてもよい。また、その他のセパレータにおいても、ブローバイガスの通路を変更可能にできる構造であればよい。
【００７８】
・本実施形態のブローバイガス還元装置ＢＲでは、ＰＣＶバルブ２０に油分の分離性能の調整を行う機能をもたせたが、ＰＣＶバルブ２０以外の装置によって油分の分離性能の調整が行われてもよい。例えば、ブローバイガス還元装置ＢＲにＰＣＶバルブ２０の他に、セパレータを設ける構成とし、このセパレータに油分の分離性能の調整を行う機構を設けてもよい。
【００７９】
・本実施形態のブローバイガス還元装置ＢＲでは、電子制御装置１４がＰＣＶバルブ２０のアクチュエータ２３に弁体２２を駆動させる指令信号を送信していたが、アクチュエータ２３に指令信号を送信する装置はこれに限定されることはない。例えば、アクチュエータ２３に電子制御装置１４以外の電子制御ユニット（ＥＣＵ）を搭載させることにより、アクチュエータ２３の制御を行ってもよい。
【００８０】
・本本実施形態のブローバイガス還元装置ＢＲでは、ＰＣＶバルブ２０のアクチュエータ２３として、ステッピングモータを使用したが、アクチュエータ２３の種類はこれに限定されることはない。例えば、アクチュエータ２３として、ブラシ付モータ、ブラシレスモータ等の他の構造のモータを使用してもよい。特に、ブラシレスモータを使用する際には、ホール素子等の位置検出素子を用いないセンサレス制御にて駆動されるものが好ましい。
【００８１】
・本実施形態のブローバイガス還元装置ＢＲでは、ブローバイガス流量をスロットルバルブ１１の開度によって推定していたが、ブローバイガス流量の推定は、これに限定されることはない。例えば、エアフロメータ１８及びクランクポジションセンサ１９からブローバイガス流量を推定してもよい。ここで、エアフロメータ１８により検出される空気量が増大するにつれて、ブローバイガス流量が増大すると推定することができる。また、クランクポジションセンサ１９では、クランクシャフトの回転速度が増大するにつれて、ブローバイガス流量が増大すると推定することができる。また、ブローバイガス流量を推定する方法として、例えば、ブローバイガス還元装置ＢＲの一部に流量計を設けてもよい。
【００８２】
・本実施形態のブローバイガス還元装置ＢＲでは、間隔実際値がスロットルバルブ１１の開度に基づいた間隔目標値と一致しない場合、電子制御装置１４がアクチュエータ２３に対して、ブローバイガス流量の増大もしくは減少、及び油分の分離性能の増大もしくは減少の要求を行ったが、電子制御装置１４による要求はこれに限定されることはない。例えば電子制御装置１４は、ブローバイガス流量の増大もしくは減少の要求のみ、及び油分の分離性能の増大もしくは減少の要求のみをアクチュエータ２３に対して行ってもよい。
【図面の簡単な説明】
【００８３】
【図１】本発明の内燃機関のブローバイガス還元装置を具体化した実施形態について、同エンジンの構成を示す模式図。
【図２】（ａ）同実施形態のＰＣＶバルブについて、そのケースを回転軸に直交する平面にて切った断面構造を示す断面図。（ｂ）同実施形態のＰＣＶバルブについて、その正面構造を示すとともにケースを回転軸に沿った平面Ａ−Ａにて切った断面構造を示す断面図。
【図３】同実施形態の内燃機関の機関負荷状態とブローバイガス流量との関係を示すグラフ。
【図４】同実施形態のスロットルバルブの開度とＰＣＶバルブの間隔との関係を示すグラフ。
【図５】（ａ）同実施形態のＰＣＶバルブについて、機関低負荷の場合の同ＰＣＶバルブの間隔を示した断面図。（ｂ）同実施形態のＰＣＶバルブについて、機関中負荷の場合の同ＰＣＶバルブの間隔を示した断面図。（ｃ）同実施形態のＰＣＶバルブについて、機関高負荷の場合の同ＰＣＶバルブの間隔を示した断面図。
【図６】同実施形態の電子制御装置により実行される「ＰＣＶバルブの制御処理」を示すフローチャート。
【図７】従来の内燃機関のブローバイガス還元装置について、同還元装置のセパレータの断面構造を示す断面図。
【符号の説明】
【００８４】
１…エンジン（内燃機関）、２…燃焼室、３…吸気通路、４…排気通路、４ａ…触媒、５…燃料噴射弁、６…点火プラグ、７…ピストン、７ａ…ピストンリング、８…クランクシャフト、９…シリンダ内壁、１０…クランクケース、１１…スロットルバルブ、１２…新気導入通路、１３…ガス流出通路、１４…電子制御装置（制御手段）、１５…アクセルペダル、１６…アクセルポジションセンサ、１７…スロットルポジションセンサ、１８…エアフロメータ、１９…クランクポジションセンサ、２０…ＰＣＶバルブ（電子制御式ＰＣＶバルブ）、２１…ケース、２２…弁体、２３…アクチュエータ、２４…シール、２５…ブローバイガス通路、２１１…流入口、２１２…流出口、２１３…排出口、２１４…側壁、２１５…隔壁、２１６…固定側壁部、２２１…基部、２２２…回転側壁部、２３１…出力軸。
【図１】
2010096028.tif 000003
【図２】
2010096028.tif 000004
【図３】
2010096028.tif 000005
【図４】
2010096028.tif 000006
【図５】
2010096028.tif 000007
【図６】
2010096028.tif 000008
【図７】
2010096028.tif 000009